(57)【要約】      （修正有）【課題】  建物の特性による温熱環境を制御条件に反映することができる建物内温度調節システム及びこれを用いた建物を提供すること。【解決手段】建物１内の温度を調節する床暖房手段５やエアコン７等の住宅内機器と、建物１の温熱環境状況を検出して温熱環境状況情報を出力する室温検知センサ１３，床温検知センサ１４と、温熱環境状況情報に基づいて住宅内機器を作動制御する制御回路９と、制御回路９による住宅内機器の制御モードを選択するリモコン８を備えている。しかも、リモコン８は快適な温熱条件を選択する快適温熱モード，省エネルギーができる省エネモード，温度調節費の倹約が可能な倹約モードのいずれかを選択可能に設けられていると共に、制御回路９は温熱環境情報に基づいて前記モード選択手段により選択されたモードの設定条件になるように住宅内機器の制御を行うようになっている。【選択図】  図２
2006177646.tif 000002
【特許請求の範囲】
【請求項１】
建物内の温度を調節する温度調節手段と、前記建物の温熱環境状況を検出して温熱環境状況情報を出力する温熱環境検出手段と、前記温熱環境状況情報に基づいて前記温度調節手段を作動制御する制御手段と、前記制御手段による前記温度調節手段の制御モードを選択するモード選択手段を備える建物内温度調整システムであって、
前記モード選択手段は快適な温熱条件を選択する快適温熱モード，省エネルギーができる省エネモード，温度調節費の倹約が可能な倹約モードのいずれかを選択可能に設けられていると共に、前記制御手段は前記温熱環境情報に基づいて前記モード選択手段により選択されたモードの設定条件になるように前記温度調節手段の制御を行うことを特徴とする建物内温度調整システム。
【請求項２】
前記温熱環境検出手段は前記建物の高さ方向の温度を検出する複数のセンサを備え、前記モード選択手段は更に生活スタイルに応じた温度設定条件を選択する複数の生活モードを備えると共に、前記制御手段は、前記センサで検出された温度に基づき、前記モード選択手段で選択された生活モードの温度設定条件となるように前記温度調節手段を作動制御して、前記建物内の高さ方向の温度を調節するように設定されていることを特徴とする請求項１に記載の建物内温度調節システム。
【請求項３】
前記温度調節手段は床の温度を調節する床温度調節手段と室内の空気の温度を調節する空気調和装置を備え、前記センサは前記床の温度を検出する床温度検知センサ及び前記空気の温度を検出する室内温度検知センサであることを特徴とする請求項２に記載の建物内温度調節システム。
【請求項４】
建物内の温度を調節する温度調節手段と、前記建物の温熱環境状況を検出して温熱環境状況情報を出力する温熱環境検出手段と、前記温熱環境状況情報に基づいて前記温度調節手段を作動制御する制御手段と、前記制御手段による前記温度調節手段の制御モードを選択するモード選択手段を備える建物内温度調整システムであって、
前記モード選択手段は床座生活、椅子座生活、立位生活等の生活モードのいずれかを選択可能に設けられていると共に、前記制御手段は前記温熱環境情報に基づいて前記モード選択手段により選択されたモードの設定温度となるように前記温度調節手段の制御を行うことを特徴とする建物内温度調整システム。
【請求項５】
請求項１〜４のいずれか一つに記載の建物内温度調節システムを備えることを特徴とする建物。
【発明の詳細な説明】
【技術分野】
【０００１】
本発明は、例えば省エネモード等の温熱条件を選択する複数のモードを有する建物内温度調節システム及びこれを用いた建物に関するものである。
【背景技術】
【０００２】
従来、建物内の温熱環境を制御するために、気象情報提供会社の気象情報からの気温情報や気温，湿度情報から不快指数を算出して、この算出した不快指数に基づいて空気調和装置の制御条件を決定し、この制御条件に基づいて空気調和装置を制御するシステムが知られている（例えば、特許文献１参照）。
【特許文献１】特開２００４−１１８３６６号公報
【発明の開示】
【発明が解決しようとする課題】
【０００３】
しかしながら、制御条件は、気象情報からの情報であり，立地条件，断熱気密性能，熱取得状況などの個々の住宅（建物）の特性による温熱環境を制御条件に反映することができないものであった。
【０００４】
そこで、この発明は、建物の特性による温熱環境を制御条件に反映することができる建物内温度調節システム及びこれを用いた建物を提供することを目的とするものである。
【課題を解決するための手段】
【０００５】
上記目的を達成するため、請求項１の発明は、建物内の温度を調節する温度調節手段と、前記建物の温熱環境状況を検出して温熱環境状況情報を出力する温熱環境検出手段と、前記温熱環境状況情報に基づいて前記温度調節手段を作動制御する制御手段と、前記制御手段による前記温度調節手段の制御モードを選択するモード選択手段を備える建物内温度調整システムであって、前記モード選択手段は快適な温熱条件を選択する快適温熱モード，省エネルギーができる省エネモード，温度調節費の倹約が可能な倹約モードのいずれかを選択可能に設けられていると共に、前記制御手段は前記温熱環境情報に基づいて前記モード選択手段により選択されたモードの設定条件になるように前記温度調節手段の制御を行う建物内温度調整システムとしたことを特徴とする。
【０００６】
また、請求項２の発明は、前記温熱環境検出手段は前記建物の高さ方向の温度を検出する複数のセンサを備え、前記モード選択手段は更に生活スタイルに応じた温度設定条件を選択する複数の生活モードを備えると共に、前記制御手段は、前記センサで検出された温度に基づき、前記モード選択手段で選択され  た生活モードの温度設定条件となるように前記温度調節手段を作動制御して、前記建物内の高さ方向の温度を調節するように設定されていることを特徴とする。
【０００７】
更に、請求項３の発明は、前記温度調節手段は床の温度を調節する床温度調節手段と室内の空気の温度を調節する空気調和装置を備え、前記センサは前記床の温度を検出する床温度検知センサ及び前記空気の温度を検出する室内温度検知センサであることを特徴とする。
【０００８】
また、請求項４の発明は、請求項１〜３のいずれか一つに記載の建物内温度調節システムを備える建物としたことを特徴とする。
【発明の効果】
【０００９】
請求項１の発明によれば、快適な温熱条件を選択する快適温熱モード，省エネルギーができる省エネモード，温度調節費の倹約が可能な倹約モードのいずれかを選択して、建物内の温熱環境を制御できるので、建物の特性による温熱環境を制御条件に反映することができる。
【００１０】
また、請求項２の発明によれば、生活スタイルに応じて前記建物内の高さ方向の温度を調節することができる。
【００１１】
更に、請求項３の発明によれば、床の温度と室内の空気の温度を制御することにより、室内の高さ方向の温度を生活スタイルに応じて容易に制御できる。
【００１２】
また、請求項４の発明によれば、上述した請求項１〜３の効果を有する建物を提供できる。
【発明を実施するための最良の形態】
【００１３】
以下、この発明の実施の形態を図面に基づいて説明する。
[構成]
図１において、１は住宅（建物）、２は住宅１の居室、３，４は居室２の側壁，５は床暖房手段（住宅内機器としての床温度調節手段）、６は側壁３に取り付けられた床暖房手段５のリモコン（コントローラ）である。この床暖房手段５は、ホットカーペット（電気カーペット）やヒータが内蔵された熱輻射パネルであっても良いし、床下蓄熱装置や床下暖房手段であっても良い。
【００１４】
また、側壁４の上部には居室２内に配設されたエアコン（空気調和装置）７が取り付けられている。このエアコン７は側壁４に取り付けられた有線のリモコン（コントローラ）８により操作されるようになっている。
【００１５】
このエアコン７は、図２に示した演算制御回路等の制御回路（制御手段）９，ヒータ１０，ブロワ１１，除湿・冷房手段１２，室温検知センサ１３，床温検知センサ１４及びメモリ１５を有する。
【００１６】
この室温検知センサ１３からの室温検出信号及び床温検知センサ１４からの床温検出信号は制御回路９に入力されるようになっている。尚、この床温検知センサ１４には、赤外線センサやＣＣＤカメラを利用した温度検知センサを用いることができる。
【００１７】
この制御回路９は、リモコン８の選択操作によりヒータ１０，ブロワ１１，除湿・冷房手段１２等を作動制御するようになっている。そして、エアコン７は、ブロワ１１により居室２内の空気を吸い込んで、この吸い込んだ空気を除湿・冷房手段１２の図示しない熱交換手段及びヒータ１０の部分を流して居室２内に吹き出させるようになっている。
【００１８】
尚、除湿・冷房手段１２が作動しているときには居室２内に除湿された空気又は冷却された空気が吹き出され、ヒータ１０が作動しているときには加熱されて暖められた空気が居室２内に吹き出されるようになっている。このようなエアコン７の冷却や暖房の構成には周知の構成が採用できるので、その詳細な説明は省略する。また、冬季等において暖房装置として用いる場合には、除湿・冷房手段１２がない構成であっても良い。
【００１９】
さらに、リモコン８は、床座生活や椅子座生活等の生活スタイルの選択や、快適温熱モード，省エネルギーができる省エネモード，温度調節費の倹約が可能な倹約モード等の選択ができるようになっている。
【００２０】
そして、床座生活が選択された後に、快適温熱モード，省エネモード，倹約モードのいずれかが選択されると、制御回路９は図３に示した温度特性線図の快適ラインｙ１，省エネラインｙ２，倹約ラインｙ３のデータに基づいてヒータ１０，ブロワ１１の制御を行うようになっている。尚、快適ラインｙ１，省エネラインｙ２，倹約ラインｙ３は、ｙ１＞ｙ２＞ｙ３の関係となっている。
【００２１】
この床座生活の生活スタイルにおいて、快適ラインｙ１は図５の「床座」の「快適」に対応する関数Ｙ１に基づいて求められ、省エネラインｙ２は図５の「床座」の「省エネ」に対応する関数Ｙ２に基づいて求められ、倹約ラインｙ３は図５の「床座」の「倹約」に対応する関数Ｙ３に基づいて求められる。
【００２２】
ここで、床座生活の生活スタイルの関数Ｙ１，Ｙ２，Ｙ３は、例えば図５の「床座」に示したように
Ｙ１＝０．０３９４Ｘ2−２．５６２０Ｘ＋６０．２５６  …（１）
Ｙ２＝０．０６１５Ｘ2−３．４７７３Ｘ＋６６．６４４  …（２）
Ｙ３＝０．０５３８Ｘ2−０．０７３５Ｘ＋５８．７３７  …（３）
として求められる。しかも、変数Ｘには床温が代入される。
【００２３】
また、椅子座生活が選択された後に、快適温熱モード，省エネモード，倹約モードのいずれかが選択されると、制御回路９は図４に示した温度特性線図の快適ラインｙ１，省エネラインｙ２，倹約ラインｙ３のデータに基づいてヒータ１０，ブロワ１１の制御を行うようになっている。
【００２４】
この椅子座生活の生活スタイルにおいて、快適ラインｙ１は図５の「椅子座」の「快適」に対応する関数Ｙ１に基づいて求められ、省エネラインｙ２は図５の「椅子座」の「省エネ」に対応する関数Ｙ２に基づいて求められ、倹約ラインｙ３は図５の「椅子座」の「倹約」に対応する関数Ｙ３に基づいて求められる。
【００２５】
ここで、椅子座生活の生活スタイルの関数Ｙ１，Ｙ２，Ｙ３は、例えば図５の「椅子座」に示したように
Ｙ１＝０．０５６Ｘ2−３．２８８Ｘ＋６６．６５０      …（４）
Ｙ２＝０．０６８５Ｘ2−３．７２３１Ｘ＋６７．２５５  …（５）
Ｙ３＝０．０５０５Ｘ2−２．８５８６Ｘ＋５４．２９７  …（６）
として求められる。しかも、変数Ｘには床温が代入される。
[作用]
次に、このような構成の建物内温度調節システムの制御回路９による制御作用を図６のフローチャートに基づいて説明する。
ステップＳ１
このような構成においてエアコン７の電源がＯＮされると、制御回路９は図６のステップＳ１において床座生活や椅子座生活等のいずれの生活スタイルが選択されているか否かを判断する。そして、制御回路９は、リモコン８の操作により椅子座生活の生活スタイルが選択されていると判断すると、ステップＳ２に移行して椅子座生活における制御を開始する。
＜椅子座生活における制御＞
ステップＳ２
このステップＳ２において制御回路９は、快適温熱モード，省エネモード，倹約モードのいずれが選択されかを判断して、ステップＳ３に移行する。
ステップＳ３
このステップＳ３において制御回路９は、快適温熱モード，省エネモード，倹約モードのいずれが選択されていても、室温及び床温のセンシング（検知）を実行し、ステップＳ
４に移行する。
【００２６】
即ち、制御回路９には室温検知センサ１３からの室温検出信号及び床温検知センサ１４からの床温検出信号が常時入力されている。そして、制御回路９は、ステップＳ３から本ステップに移行すると、室温検出信号に基づく室温及び床温検出信号に基づく床温（床表面温度）をメモリ１５記憶させて、ステップＳ４に移行する。
ステップＳ４
このステップＳ４において制御回路９は、椅子座生活のための制御条件照会を行う。ここで、制御条件照会は、先ず図５の「椅子座」の「快適」，「省エネ」，「倹約」に対応する関数Ｙ１，Ｙ２，Ｙ３の変数ＸにステップＳ３でメモリ１５に記憶させた床温（床表面温度）を代入して、制御条件温度を求める。次に、この求められた制御条件温度Ｙ１ａ，Ｙ２ａ，Ｙ３ａと室温を比較する。
【００２７】
この際、制御回路９は、快適温熱モードの場合、メモリ１５に記憶させた室温とステップＳ４で求めた「快適」の制御条件温度Ｙ１ａを比較する。この比較は、室温が制御条件温度Ｙ１ａより小さいか否か、室温が制御条件温度Ｙ１ａと等しいか否か等について行う。
【００２８】
また、制御回路９は、省エネモードの場合、メモリ１５に記憶させた室温とステップＳ４で求めた「快適」の制御条件温度Ｙ１ａ及び「省エネ」の制御条件温度Ｙ２ａを比較する。この比較は、室温が制御条件温度Ｙ１ａより小さいか否か及び室温が制御条件温度Ｙ１ａと等しいか否か、又はメモリ１５に記憶させた室温が制御条件温度Ｙ２ａより大きいか否か及び室温が制御条件温度Ｙ２ａと等しいか否かについて行う。
【００２９】
更に、制御回路９は、倹約モードの場合、メモリ１５に記憶させた室温とステップＳ４で求めた「省エネ」の制御条件温度Ｙ２ａ及び「倹約」の制御条件温度Ｙ３ａを比較する。この比較は、室温が制御条件温度Ｙ２ａより小さいか否か及び室温が制御条件温度Ｙ２ａと等しいか否か、又はメモリ１５に記憶させた室温が制御条件温度Ｙ３ａより大きいか否か及び室温が制御条件温度Ｙ３ａと等しいか否かについて行う。
【００３０】
この後、制御回路９は、ステップＳ２で選択されたモードに対応するステップＳ５，ステップＳ８，ステップＳ１２のいずれかに移行する。即ち、ステップＳ２で快適温熱モードが選択されていればステップＳ５に移行し、ステップＳ２で省エネモードが選択されていればステップＳ８に移行し、ステップＳ２で倹約モードが選択されていればステップＳ１２に移行する。
【００３１】
尚、快適温熱モードの比較はステップＳ５で行い、省エネモードの比較はステップＳ８で行い、倹約モードの比較はステップＳ１２で行っても良い。
（快適モード）
ステップＳ５
そして、制御回路９は、ステップＳ４における比較において室温が制御条件温度Ｙ１ａと等しいと判断した場合にはステップＳ６に移行する。
【００３２】
また、制御回路９は、ステップＳ４における比較において室温が制御条件温度Ｙ１ａより小さい（低い）と判断した場合にはステップＳ７に移行する。
ステップＳ６
このステップＳ６において制御回路９は、エアコン７の設定温度を変更しないでステップＳ３に戻り、快適温熱モードの制御を継続する。
【００３３】
このエアコン７の設定温度を変更しない場合、制御回路９はエアコン７のブロワ１１の
作動を停止した状態でも良い。また、制御回路９は、ブロワ１１を駆動して居室２内の空気をエアコン７内に吸い込んで、吸い込んだ空気を居室２内に吹き出させても良い。この場合には、居室２内の空気が循環させられる。以下、エアコン７の設定温度を変更しない場合には、同様な制御を行うが、その説明は省略する。
ステップＳ７
このステップＳ７において制御回路９は、エアコン７の設定温度を高くして、ステップＳ３に戻り、快適温熱モードの制御を継続する。この設定温度を高くすることにより制御回路９は、ブロワ１１を駆動して居室２内の空気をエアコン７内に吸い込むと共に、ヒータ１０に通電してエアコン７内に吸い込んだ空気をヒータ１０で加熱して居室２内に吹き出させる。これにより、居室２内の室温が上昇させられる。以下、エアコン７の設定温度を高くすることにより、このような制御が行われるが、その説明は省略する。
（省エネモード）
ステップＳ８
このステップＳ８において制御回路９は、室温が制御条件温度Ｙ２ａより小さい場合にはステップＳ９に移行する。
【００３４】
また、制御回路９は、室温が「快適」の制御条件温度Ｙ１ａより小さく且つ制御条件温度「省エネ」の制御条件温度Ｙ２ａより大きいか、又は室温が制御条件温度Ｙ１ａ又はＹ２ａと等しい場合にはステップＳ１０に移行する。
【００３５】
更に、制御回路９は、室温が制御条件温度Ｙ１ａより大きい場合にはステップＳ１１に移行する。
ステップＳ９
このステップＳ９において制御回路９は、エアコン７の設定温度を高くして、ステップＳ３に戻り、省エネモードの制御を継続する。
ステップＳ１０
このステップＳ１０において制御回路９は、エアコン７の設定温度を変更しないでステップＳ３に戻り、省エネモードの制御を継続する。
ステップＳ１１
このステップＳ１１において制御回路９は、エアコン７の設定温度を低くしてステップＳ３に戻り、省エネモードの制御を継続する。この設定温度を低くすることにより制御回路９は、ブロワ１１を駆動して居室２内の空気をエアコン７内に吸い込んだ後、吸い込んだ空気を居室２内に吹き出させる。これにより、居室２内の空気が循環させられる。以下、エアコン７の設定温度を低くすることにより、このような制御が行われるが、その説明は省略する。
（倹約モード）
ステップＳ１２
このステップＳ１２において制御回路９は、室温が制御条件温度Ｙ３ａより小さい場合にはステップＳ１３に移行する。
【００３６】
また、制御回路９は、室温が「省エネ」の制御条件温度Ｙ２ａより小さく且つ制御条件温度「倹約」の制御条件温度Ｙ３ａより大きいか、又は室温が制御条件温度Ｙ２ａ又はＹ３ａと等しい場合にはステップＳ１４に移行する。
【００３７】
更に、制御回路９は、室温が制御条件温度Ｙ２ａより大きい場合にはステップＳ１５に移行する。
ステップＳ１３
このステップＳ１３において制御回路９は、エアコン７の設定温度を高くして、ステップＳ３に戻り、倹約モードの制御を継続する。
ステップＳ１４
このステップＳ１４において制御回路９は、エアコン７の設定温度を変更しないでステップＳ３に戻り、倹約モードの制御を継続する。
ステップＳ１５
このステップＳ１５において制御回路９は、エアコン７の設定温度を低くしてステップＳ３に戻り、倹約モードの制御を継続する。
＜床座生活における制御＞
ステップＳ１において制御回路９は、床座生活の生活スタイルがリモコン８により選択されると、床座生活における制御を開始する。この床座生活における制御は、椅子座生活における制御の制御条件温度を求めるためのＸの係数が異なるのみで、他の制御は椅子座生活における制御と同じである。
【００３８】
尚、床座生活における制御の制御条件温度は、上述した式（１）〜（３）に床温検知センサ１４で検出した床温（床表面温度）を代入することより求められる。
【００３９】
また、リモコン６，８は、有線式としたが、赤外線や電波等を用いた無線式であっても良い。
（変形例１）
以上説明した実施例では、室温検知センサ１３と床温（床表面温度）検知センサ１４をエアコン７に設けて、エアコン７の制御回路９によりエアコン７のヒータ１０及びブロワ１１を作動制御して、室温を調節するようにしたが、必ずしもこれに限定されるものではない。
【００４０】
例えば、図７に示したように室温と床温を検出可能な床暖房手段（住宅機器である床温度調節手段）５を設けて、この床暖房手段５の温度を制御するようにしても良い。
[構成]
この床暖房手段５は、図８に示した演算制御回路である制御回路（制御手段）２０，室温検知センサ１３ａ，床温検知センサ１４ａ，ヒータ（加熱手段）２１及びメモリ２２を有する。この室温検知センサ１３ａから出力される室温検出信号及び床温検知センサ１４ａから出力される床温検出信号は制御回路２０に入力されるようになっている。しかも、この制御回路２０は、室温検知センサ１３ａから出力される室温検出信号を受けて室温をメモリ２２に記憶すると共に、床温検知センサ１４ａから出力される床温検出信号を受けて床温をメモリ２２に記憶するようになっている。
【００４１】
また、制御回路２０は、リモコン（モード選択手段）６により操作されて、室温検知センサ１３ａから出力される室温検出信号及び床温検知センサ１４ａから出力される床温検出信号に基づいてヒータ２１への通電制御をするようになっている。
【００４２】
更に、リモコン６は、床座生活や椅子座生活等の生活スタイルの選択や、快適温熱モード，省エネルギーができる省エネモード，温度調節費の倹約が可能な倹約モード等の選択ができるようになっている。
【００４３】
そして、床座生活が選択された後に、快適温熱モード，省エネモード，倹約モードのいずれかが選択されると、制御回路２０は図３に示した温度特性線図の快適ラインｙ１，省エネラインｙ２，倹約ラインｙ３のデータに基づいてヒータ２１の温度制御を行うようになっている。
【００４４】
この床座生活の生活スタイルにおいて、快適ラインｙ１は図９の「床座」の「快適」に対応する関数Ｙ１に基づいて求められ、省エネラインｙ２は図９の「床座」の「省エネ」に対応する関数Ｙ２に基づいて求められ、倹約ラインｙ３は図９の「床座」の「倹約」に対応する関数Ｙ３に基づいて求められる。
【００４５】
ここで、床座生活の生活スタイルの関数Ｙ１，Ｙ２，Ｙ３は、例えば図９の「床座」に示したように
Ｙ１＝０．０９１７Ｘ2−５．５Ｘ＋９９．８３３        …（７）
Ｙ２＝０．０８７５Ｘ2−４．９５５０Ｘ＋８６．２２    …（８）
Ｙ３＝０．０８１３Ｘ2−４．２３２５Ｘ＋７０．８５５  …（９）
として求められる。しかも、変数Ｘには室温が代入される。
【００４６】
また、椅子座生活が選択された後に、快適温熱モード，省エネモード，倹約モードのいずれかが選択されると、制御回路２０は図４に示した温度特性線図の快適ラインｙ１，省エネラインｙ２，倹約ラインｙ３のデータに基づいてヒータ２１の温度制御を行うようになっている。
【００４７】
この椅子座生活の生活スタイルにおいて、快適ラインｙ１は図９の「椅子座」の「快適」に対応する関数Ｙ１に基づいて求められ、省エネラインｙ２は図９の「椅子座」の「省エネ」に対応する関数Ｙ２に基づいて求められ、倹約ラインｙ３は図９の「椅子座」の「倹約」に対応する関数Ｙ３に基づいて求められる。
【００４８】
ここで、椅子座生活の生活スタイルの関数Ｙ１，Ｙ２，Ｙ３は、例えば図９の「椅子座」に示したように
Ｙ１＝０．０７１２Ｘ2−４．３２７５Ｘ＋８２．０５０  …（１０）
Ｙ２＝０．１０４６Ｘ2−５．４３１７Ｘ＋８６．９９７  …（１１）
Ｙ３＝０．０５００Ｘ2−２．９０００Ｘ＋５５．２５０  …（１２）
として求められる。しかも、変数Ｘには室温が代入される。
[作用]
以下、この構成の作用を図１０のフローチャートに基づいて説明する。
ステップＳ２１
このような構成においてエアコン７の電源がＯＮされると、制御回路２０は図１０のステップＳ２１において床座生活や椅子座生活等のいずれの生活スタイルが選択されているか否かを判断する。そして、制御回路２０は、リモコン６の操作により床座生活の生活スタイルが選択されていると判断すると、ステップＳ２２に移行して床座生活における床暖房手段５の温度制御を開始する。
＜床座生活における制御＞
ステップＳ２２
このステップＳ２２において制御回路２０は、快適温熱モード，省エネモード，倹約モードのいずれが選択されかを判断して、ステップＳ２３に移行する。
ステップＳ２３
このステップＳ２３において制御回路２０は、快適温熱モード，省エネモード，倹約モードのいずれが選択されていても、室温及び床温のセンシング（検知）を実行し、ステップＳ２４に移行する。
【００４９】
即ち、制御回路２０には室温検知センサ１３ａからの室温検出信号及び床温検知センサ１４ａからの床温検出信号が常時入力されている。そして、制御回路２０は、ステップＳ２３から本ステップに移行すると、室温検出信号に基づく室温及び床温検出信号に基づく床温（床表面温度）をメモリ２２記憶させて、ステップＳ２４に移行する。
ステップＳ２４
このステップＳ２４において制御回路２０は、床座生活のための制御条件照会を行う。ここで、制御条件照会は、先ず図１０の「床座」の「快適」，「省エネ」，「倹約」に対応する関数Ｙ１，Ｙ２，Ｙ３の変数ＸにステップＳ２３でメモリ２２に記憶させた室温を代入して、制御条件温度を求める。次に、この求められた制御条件温度Ｙ１ａ，Ｙ２ａ，
Ｙ３ａと床温を比較する。
【００５０】
この際、制御回路２０は、快適温熱モードの場合、メモリ２２に記憶させた床温とステップＳ２４で求めた「快適」の制御条件温度Ｙ１ａを比較する。この比較は、床温が制御条件温度Ｙ１ａより小さいか否か、床温が制御条件温度Ｙ１ａと等しいか否か等について行う。
【００５１】
また、制御回路２０は、省エネモードの場合、メモリ２２に記憶させた床温とステップＳ２４で求めた「快適」の制御条件温度Ｙ１ａ及び「省エネ」の制御条件温度Ｙ２ａを比較する。この比較は、床温が制御条件温度Ｙ１ａより小さいか否か及び床温が制御条件温度Ｙ１ａと等しいか否か、又はメモリ２２に記憶させた床温が制御条件温度Ｙ２ａより大きいか否か及び床温が制御条件温度Ｙ２ａと等しいか否かについて行う。
【００５２】
更に、制御回路２０は、倹約モードの場合、メモリ２２に記憶させた床温とステップＳ２４で求めた「省エネ」の制御条件温度Ｙ２ａ及び「倹約」の制御条件温度Ｙ３ａを比較する。この比較は、床温が制御条件温度Ｙ２ａより小さいか否か及び床温が制御条件温度Ｙ２ａと等しいか否か、又はメモリ２２に記憶させた床温が制御条件温度Ｙ３ａより大きいか否か及び床温が制御条件温度Ｙ３ａと等しいか否かについて行う。
【００５３】
この後、制御回路２０は、ステップＳ２２で選択されたモードに対応するステップＳ２５，ステップＳ２８，ステップＳ３２のいずれかに移行する。即ち、ステップＳ２２で快適温熱モードが選択されていればステップＳ２５に移行し、ステップＳ２２で省エネモードが選択されていればステップＳ２８に移行し、ステップＳ２２で倹約モードが選択されていればステップＳ３２に移行する。
【００５４】
尚、快適温熱モードの比較はステップＳ２５で行い、省エネモードの比較はステップＳ２８で行い、倹約モードの比較はステップＳ３２で行っても良い。
（快適モード）
ステップＳ２５
そして、制御回路２０は、ステップＳ２４における比較において床温が制御条件温度Ｙ１ａと等しいと判断した場合にはステップＳ２６に移行する。
【００５５】
また、制御回路２０は、ステップＳ２４における比較において床温が制御条件温度Ｙ１ａより小さい（低い）と判断した場合にはステップＳ２７に移行する。
ステップＳ２６
このステップＳ２６において制御回路２０は、床暖房手段５の設定温度を変更しないでステップＳ２３に戻り、快適温熱モードの制御を継続する。
ステップＳ２７
このステップＳ２７において制御回路２０は、床暖房手段５の設定温度を高くして、ステップＳ２３に戻り、快適温熱モードの制御を継続する。この設定温度を高くすることにより制御回路２０は、ヒータ２１に通電制御する。以下、床暖房手段５の設定温度を高くすることにより、このような制御が行われるが、その説明は省略する。
（省エネモード）
ステップＳ２８
このステップＳ２８において制御回路２０は、床温が制御条件温度Ｙ２ａより小さい場合にはステップＳ２９に移行する。
【００５６】
また、制御回路２０は、床温が「快適」の制御条件温度Ｙ１ａより小さく且つ制御条件温度「省エネ」の制御条件温度Ｙ２ａより大きいか、又は床温が制御条件温度Ｙ１ａ又はＹ２ａと等しい場合にはステップＳ３０に移行する。
【００５７】
更に、制御回路２０は、床温が制御条件温度Ｙ１ａより大きい場合にはステップＳ３１に移行する。
ステップＳ２９
このステップＳ２９において制御回路２０は、床暖房手段５の設定温度を高くして、ステップＳ２３に戻り、省エネモードの制御を継続する。
ステップＳ３０
このステップＳ３０において制御回路２０は、床暖房手段５の設定温度を変更しないでステップＳ２３に戻り、省エネモードの制御を継続する。
ステップＳ３１
このステップＳ３１において制御回路２０は、床暖房手段５の設定温度を低くしてステップＳ２３に戻り、省エネモードの制御を継続する。この設定温度を低くすることにより制御回路２０は、ヒータ２１への通電を停止する。以下、床暖房手段５の設定温度を低くすることにより、このような制御が行われるが、その説明は省略する。
（倹約モード）
ステップＳ３２
このステップＳ３２において制御回路２０は、床温が制御条件温度Ｙ３ａより小さい場合にはステップＳ３３に移行する。
【００５８】
また、制御回路２０は、床温が「省エネ」の制御条件温度Ｙ２ａより小さく且つ制御条件温度「倹約」の制御条件温度Ｙ３ａより大きいか、又は床温が制御条件温度Ｙ２ａ又はＹ３ａと等しい場合にはステップＳ３４に移行する。
【００５９】
更に、制御回路２０は、床温が制御条件温度Ｙ２ａより大きい場合にはステップＳ３５に移行する。
ステップＳ３３
このステップＳ３３において制御回路２０は、床暖房手段５の設定温度を高くして、ステップＳ２３に戻り、倹約モードの制御を継続する。
ステップＳ３４
このステップＳ３４において制御回路２０は、床暖房手段５の設定温度を変更しないでステップＳ２３に戻り、倹約モードの制御を継続する。
ステップＳ３５
このステップＳ３５において制御回路２０は、床暖房手段５の設定温度を低くしてステップＳ２３に戻り、倹約モードの制御を継続する。
＜椅子座生活における制御＞
ステップＳ２１において制御回路２０は、椅子座生活の生活スタイルがリモコン６により選択されると、椅子座生活における床暖房手段５の温度制御を開始する。この椅子座生活における制御は、床座生活における床暖房手段５の温度制御の制御条件温度を求めるためのＸの係数が異なるのみで、他の制御は床座生活における床暖房手段５の温度制御と同じである。
【００６０】
尚、椅子座生活における制御の制御条件温度は、上述した式（９）〜（１２）に床温検知センサ１４ａで検出した床温（床表面温度）を代入することより求められる。
（変形例２）
[構成]
図１１〜図１５は、この発明の他の変形例を示したものである。この変形例では、制御装置３０を図１１，図１２に示したように床暖房手段５とエアコン７にネットワークケーブル（ネットワーク）３１で接続して、床暖房手段５とエアコン７を制御装置３０で温度制御するようにしたものである。
【００６１】
このエアコン７は、図２に示した床温検知センサ１４を省略したもので、この床温検知センサ１４以外は図１２に示したように図２と同様な構成となっている。即ち、エアコン７は、図１２に示した演算制御回路等の制御回路（制御手段）９，ヒータ１０，ブロワ１１，除湿・冷房手段１２，室温検知センサ１３及びメモリ１５を有する。
【００６２】
また、床暖房手段５は、図８の室温検知センサ１３ａを省略したもので、この室温検知センサ１３ａ以外は図８と同様な構成となっている。即ち、床暖房手段５は、演算制御回路である制御回路（制御手段）２０，床温検知センサ１４ａ，ヒータ（加熱手段）２１及びメモリ２２を有する。
【００６３】
更に、制御装置３０は、制御回路３２を有すると共に、生活スタイル及びモードを選択するモード選択手段３３や、このモード選択手段３３で選択された生活スタイル及びモードの表示や設定温度の表示を行う液晶表示器（表示部、表示手段）３４を有する。
【００６４】
図１３に示した温度特性線図は図３に示した温度特性線図に対応し、図１４に示した温度特性線図は図４に示した温度特性線図に対応する。そして、快適ラインｙ１より温度が高い範囲が快適域Ａとなり、快適ラインｙ１と省エネラインｙ２の間が省エネ域Ｂとなり、省エネラインｙ２と倹約ラインｙ３との間が倹約域Ｃとなっている。
【００６５】
そして、制御回路３２は、椅子座生活の場合には図５に示した「椅子座」の関数Ｙ１，Ｙ２，Ｙ３に基づいて快適温熱モード，省エネモード，倹約モードの制御を行い、床座生活の場合には図９に示した「床座」の関数Ｙ１，Ｙ２，Ｙ３に基づいて快適温熱モード，省エネモード，倹約モードの制御を行うようになっている。
[作用]
以下、この変形例２のような構成のシステムの制御回路３２による制御を図１５に示したフローチャートに基づいて説明する。
ステップＳ４１
このような構成においてエアコン７の電源がＯＮされると、制御装置３０制御回路３２は図１５のステップＳ４１において床座生活や椅子座生活等のいずれの生活スタイルが選択されているか否かを判断する。そして、制御回路３２は、モード選択手段３３の操作により床座生活の生活スタイルが選択されていると判断すると、ステップＳ４２に移行して床座生活における床暖房手段５の温度制御を開始する。
＜床座生活における制御＞
ステップＳ４２
このステップＳ４２において制御回路３２は、快適温熱モード，省エネモード，倹約モードのいずれが選択されかを判断して、ステップＳ４３に移行する。
ステップＳ４３
このステップＳ４３において制御回路３２は、快適温熱モード，省エネモード，倹約モードのいずれが選択されていても、室温及び床温のセンシング（検知）を実行し、ステップＳ４４に移行する。
【００６６】
即ち、制御回路３２にはエアコン７の室温検知センサ１３からの室温検出信号及び床暖房手段５の床温検知センサ１４ａからの床温検出信号が常時入力されている。そして、制御回路３２は、ステップＳ４３から本ステップに移行すると、室温検出信号に基づく室温及び床温検出信号に基づく床温（床表面温度）をメモリ２２記憶させて、ステップＳ４４に移行する。
ステップＳ４４
このステップＳ４４において制御回路３２は、床座生活のための制御条件照会を行う。
【００６７】
ここで、制御条件照会は、ステップＳ４３で検出した室温，床温が図１３の快適域Ａ，
省エネ域Ｂ，倹約域Ｃの何れに属するかを求める。
【００６８】
この際、図９の「床座」の「快適」，「省エネ」，「倹約」に対応する関数Ｙ１，Ｙ２，Ｙ３の変数ＸにステップＳ４３でメモリ２２に記憶させた室温を代入して、制御条件温度を求める。次に、この求められた制御条件温度Ｙ１ａ，Ｙ２ａ，Ｙ３ａと室温及び床温を比較する。
【００６９】
そして、制御回路３２は、室温が制御条件温度Ｙ１ａより大きい場合には室温は快適域Ａにあると判断し、室温が制御条件温度Ｙ１ａとＹ２ａの間にあれば室温は省エネ域Ｂにあると判断し、室温が制御条件温度Ｙ２ａとＹ３ａの間にあれば室温は倹約域Ｃにあると判断する。
【００７０】
また、制御回路３２は、床温が制御条件温度Ｙ１ａより大きい場合には床温は快適域Ａにあると判断し、床温が制御条件温度Ｙ１ａとＹ２ａの間にあれば床温は省エネ域Ｂにあると判断し、床温が制御条件温度Ｙ２ａとＹ３ａの間にあれば床温は倹約域Ｃにあると判断する。
【００７１】
この後、制御回路３２は、ステップＳ４２で選択されたモードに対応するステップＳ４５，ステップＳ４８，ステップＳ５２のいずれかに移行する。即ち、ステップＳ４２で快適温熱モードが選択されていればステップＳ４５に移行し、ステップＳ４２で省エネモードが選択されていればステップＳ４８に移行し、ステップＳ４２で倹約モードが選択されていればステップＳ５２に移行する。
【００７２】
尚、快適温熱モードの比較はステップＳ４５で行い、省エネモードの比較はステップＳ４８で行い、倹約モードの比較はステップＳ５２で行っても良い。
（快適モード）
ステップＳ４５
そして、制御回路３２は、ステップＳ４４における比較において室温と床温が快適域Ａに属する場合にはステップＳ４６に移行する。
【００７３】
また、制御回路３２は、ステップＳ４４における比較において室温と床温が快適域Ａに属しない場合にはステップＳ４７に移行する。
ステップＳ４６
このステップＳ４６において制御回路３２は、床暖房手段５やエアコン７等の住宅内機器の設定温度を変更しないでステップＳ４３に戻り、快適温熱モードの制御を継続する。ステップＳ４７
このステップＳ４７において制御回路３２は、快適ラインｙ１と現在の室温，床温で最も距離が近い交点（室温，床温）を算出し、床暖房手段５やエアコン７等の住宅内機器の設定温度を交点の室温と床温に変更して、ステップＳ４３に戻り、快適温熱モードの制御を継続する。
（省エネモード）
ステップＳ４８
このステップＳ４８において制御回路３２は、室温と床温が快適域Ａにある場合にはステップＳ４９に移行する。
【００７４】
また、制御回路３２は、室温と床温が省エネ域Ｂにある場合にはステップＳ５０に移行する。
【００７５】
更に、制御回路３２は、室温と床温が倹約域Ｃにある場合にはステップＳ５１に移行する。
ステップＳ４９
このステップＳ４９において制御回路３２は、快適ラインｙ１と現在の室温，床温で最も距離が近い交点（室温，床温）を算出し、床暖房手段５やエアコン７等の住宅内機器の設定温度を交点の室温と床温に変更して、ステップＳ４３に戻り、省エネモードの制御を継続する。
ステップＳ５０
このステップＳ５０において制御回路３２は、床暖房手段５やエアコン７等の住宅内機器の設定温度を変更しないでステップＳ４３に戻り、省エネモードの制御を継続する。
ステップＳ５１
このステップＳ５１において制御回路３２は、省エネラインｙ２と現在の室温，床温で最も距離が近い交点（室温，床温）を算出し、床暖房手段５やエアコン７等の住宅内機器の設定温度を交点の室温と床温に変更して、ステップＳ４３に戻り、省エネモードの制御を継続する。
（倹約モード）
ステップＳ５２
このステップＳ５２において制御回路３２は、室温と床温が倹約域Ｃに属する場合にはステップＳ５３に移行する。
【００７６】
また、制御回路３２は、室温と床温が倹約域Ｃに属しない場合にはステップＳ５４に移行する。
ステップＳ５３
このステップＳ５３において制御回路３２は、床暖房手段５やエアコン７等の住宅内機器の設定温度を変更しないでステップＳ５３に戻り、倹約モードの制御を継続する。
ステップＳ５４
このステップＳ５４において制御回路３２は、省エネラインｙ２と現在の室温，床温で最も距離が近い交点（室温，床温）を算出し、床暖房手段５やエアコン７等の住宅内機器の設定温度を交点の室温と床温に変更して、ステップＳ４３に戻り、倹約モードの制御を継続する。
＜椅子座生活における制御＞
ステップＳ４１において制御回路３２は、椅子座生活の生活スタイルがモード選択手段３３により選択されると、椅子座生活における床暖房手段５の温度制御及びエアコン７による室温制御を図１４の温度特性線図に基づいて開始する。
【００７７】
この椅子座生活における制御は、床座生活における床暖房手段５やエアコン７の温度制御の制御条件温度を求めるためのＸの係数が異なるのみで、他の制御は床座生活における床暖房手段５やエアコン７の温度制御と同じである。
（その他）
以上の説明したように、上述した建物内温度調整システムでは、住宅（建物）内に設置されたセンサにより，住宅の室内の温度，床の温度を把握し，住人の目的にあった住宅内の温熱環境を形成するために，住宅内機器を制御する暖房システムとしている。尚、住宅内を快適な環境，省エネと不快ではない環境を両立する環境，若干不快ではあるが暖房費を倹約できる環境を実現する制御条件等を有している。
【００７８】
快適，省エネはくつろいでいる状態，倹約は軽い動作をしているか，厚着をしているときに設定してもよい。
【００７９】
以上説明したように、この発明の実施の形態の建物内温度調整システムは、建物１内の温度を調節する温度調節手段（床暖房手段５やエアコン７等の住宅内機器）と、前記建物１の温熱環境状況を検出して温熱環境状況情報を出力する温熱環境検出手段（室温検知センサ１３，床温検知センサ１４又は室温検知センサ１３ａ，床温検知センサ１４ａ）と、
前記温熱環境状況情報に基づいて前記温度調節手段（床暖房手段５やエアコン７等の住宅内機器）を作動制御する制御手段（制御回路９，２０，３２）と、前記制御手段（制御回路９，２０，３２）による前記温度調節手段（床暖房手段５やエアコン７等の住宅内機器）の制御モードを選択するモード選択手段（リモコン６，８又はモード選択手段３３）を備えている。しかも、前記モード選択手段（リモコン６，８又はモード選択手段３３）は快適な温熱条件を選択する快適温熱モード，省エネルギーができる省エネモード，温度調節費の倹約が可能な倹約モードのいずれかを選択可能に設けられていると共に、前記制御手段（制御回路９，２０，３２）は前記温熱環境情報に基づいて前記モード選択手段により選択されたモードの設定条件になるように前記温度調節手段（床暖房手段５やエアコン７等の住宅内機器）の制御を行うようになっている。
【００８０】
この構成によれば、快適な温熱条件を選択する快適温熱モード，省エネルギーができる省エネモード，温度調節費の倹約が可能な倹約モードのいずれかを選択して、建物内の温熱環境を制御できるので、建物の特性による温熱環境を制御条件に反映することができる。
【００８１】
また、この発明の実施の形態の建物内温度調整システムにおいて、前記温熱環境検出手段は前記建物の高さ方向の温度を検出する複数のセンサ（室温検知センサ１３，床温検知センサ１４又は室温検知センサ１３ａ，床温検知センサ１４ａ）を備え、前記モード選択手段（リモコン６，８又はモード選択手段３３）は更に生活スタイルに応じた温度設定条件を選択する複数の生活モードを備えると共に、前記制御手段（制御回路９，２０，３２）は、前記センサ（室温検知センサ１３，床温検知センサ１４又は室温検知センサ１３ａ，床温検知センサ１４ａ）で検出された温度に基づき、前記モード選択手段（リモコン６，８又はモード選択手段３３）で選択された生活モードの温度設定条件となるように前記温度調節手段（床暖房手段５やエアコン７等の住宅内機器）を作動制御して、前記建物内の高さ方向の温度を調節するように設定されている。
【００８２】
この構成によれば、生活スタイルに応じて前記建物内の高さ方向の温度を調節することができる。
【００８３】
更に、この発明の実施の形態の建物内温度調整システムにおいて、前記温度調節手段（床暖房手段５やエアコン７等の住宅内機器）は床の温度を調節する床温度調節手段５と室内の空気の温度を調節する空気調和装置（エアコン７）を備え、前記センサは前記床の温度を検出する床温度検知センサ（１４又は１４ａ）及び前記空気の温度を検出する室内温度検知センサ（室温検知センサ１３，１３ａ）である。
【００８４】
この構成によれば、床の温度と室内の空気の温度を制御することにより、室内の高さ方向の温度を生活スタイルに応じて容易に制御できる。
【００８５】
また、この発明の実施の形態の建物内温度調整システムは、建物１内の温度を調節する温度調節手段（床暖房手段５やエアコン７等の住宅内機器）と、前記建物１の温熱環境状況を検出して温熱環境状況情報を出力する温熱環境検出手段（室温検知センサ１３，床温検知センサ１４又は室温検知センサ１３ａ，床温検知センサ１４ａ）と、前記温熱環境状況情報に基づいて前記温度調節手段（床暖房手段５やエアコン７等の住宅内機器）を作動制御する制御手段（制御回路９，２０，３２）と、前記制御手段（制御回路９，２０，３２）による前記温度調節手段（床暖房手段５やエアコン７等の住宅内機器）の制御モードを選択するモード選択手段（リモコン６，８又はモード選択手段３３）を備えている。しかも、前記モード選択手段（リモコン６，８又はモード選択手段３３）は床座生活、椅子座生活、立位生活等の生活モードのいずれかを選択可能に設けられていると共に、前記制御手段（制御回路９，２０，３２）は前記温熱環境情報に基づいて前記モード選択手段（
リモコン６，８又はモード選択手段３３）により選択されたモードの設定温度となるように前記温度調節手段（床暖房手段５やエアコン７等の住宅内機器）の制御を行うようになっている。
【００８６】
この構成によれば、床の温度と室内の空気の温度を制御することにより、室内の高さ方向の温度を床座生活、椅子座生活、立位生活等の生活モード（生活スタイル）に応じて容易に制御できる。
【００８７】
以上、図面を参照して本発明の実施の形態を詳述してきたが、具体的な構成はこの実施の形態に限らず、本発明の要旨を逸脱しない程度の設計的変更は本発明に含まれる。
【図面の簡単な説明】
【００８８】
【図１】この発明に係る建物内温度調節システムを有する建物の概略説明図である。
【図２】図１のエアコンの制御回路図である。
【図３】床座生活の室温と床表面温度との関係を示す温度特性線図である。
【図４】椅子座生活の室温と床表面温度との関係を示す温度特性線図である。
【図５】図３，図４の生活スタイル及び快適モード，省エネモード，倹約モード等のラインを求める関数の説明図である。
【図６】図２の制御回路による制御を示すフローチャートである。
【図７】この発明に係る他の建物内温度調節システムを有する建物の概略説明図である。
【図８】図７の床温度調節手段の制御回路図である。
【図９】図７の建物内温度調節システムによる生活スタイル及び快適モード，省エネモード，倹約モード等のラインを求める関数の説明図である。
【図１０】図８の制御回路による制御を示すフローチャートである。
【図１１】この発明に係る更に他の建物内温度調節システムを有する建物の概略説明図である。
【図１２】図１１の建物内温度調節システムの制御回路図である。
【図１３】図１１の建物内温度調節システムのための床座生活の室温と床表面温度との関係を示す温度特性線図である。
【図１４】図１１の椅子座生活の室温と床表面温度との関係を示す温度特性線図である。
【図１５】図１２の制御回路による制御を示すフローチャートである。
【符号の説明】
【００８９】
１…建物
５…床暖房手段（温度調節手段）
６…リモコン（モード選択手段）
７…エアコン（温度調節手段）
８…リモコン（モード選択手段）
９…制御回路（制御手段）
１３…室温検知センサ（温熱環境検出手段）
１３ａ…室温検知センサ（温熱環境検出手段）
１４…床温検知センサ（温熱環境検出手段）
１４ａ…床温検知センサ（温熱環境検出手段）
２０…制御回路（制御手段）
３２…制御回路（制御手段）
３３…モード選択手段
【図１】
2006177646.tif 000003
【図２】
2006177646.tif 000004
【図３】
2006177646.tif 000005
【図４】
2006177646.tif 000006
【図５】
2006177646.tif 000007
【図６】
2006177646.tif 000008
【図７】
2006177646.tif 000009
【図８】
2006177646.tif 000010
【図９】
2006177646.tif 000011
【図１０】
2006177646.tif 000012
【図１１】
2006177646.tif 000013
【図１２】
2006177646.tif 000014
【図１３】
2006177646.tif 000015
【図１４】
2006177646.tif 000016
【図１５】
2006177646.tif 000017